(57)【特許請求の範囲】
【請求項１】
画像を書き込み、それを変換して読み出せるメモリー機能を有する空間光変調素子と、前記空間光変調素子への書き込み状態と読み出し状態とをスイッチング可能なスイッチ手段と、原画を照明する閃光装置と、前記原画の画像を投影する光学手段と、前記空間光変調素子を照明する照明手段とを備え、
前記空間光変調素子のリセットを前記照明手段を用いて行うように構成したことを特徴とするディスプレー装置。
【発明の詳細な説明】
【０００１】
【発明の属する技術分野】
本発明は、フィルムビューワー、特にネガフィルムをポジ像にしてユーザーに鑑賞させるような卓上フィルムスタンドや電子アルバムなどに適したディスプレー装置に関するものである。また、ディジタル画像を高品位に表示するディスプレー装置に関するものであり、とくに静止画のディスプレーに適したディスプレー装置に関するものである。
【０００２】
［発明の概説］
強誘電体液晶素子ＦＬＣを使った空間光変調装置ＳＬＭを利用したフィルムビューワーで、ＡＰＳのディスプレーカートリッジを装填すると、次々に撮影駒がネガ／ポジ反転してサービスサイズのプリントと同じサイズ、同じ精彩さでディスプレーされるディスプレー装置で、卓上に飾ったりみんなで撮影した写真を見たりする時に使用するようなディスプレー装置である。
【０００３】
また、フォトスタンドとして光学的に画像（エリア）を拡大投影するスマートなディスプレー装置であって、パソコンからの、あるいはパソコンその他ディジタル機器からの画像の入力について、電気信号（ディジタル）を間に関与させることにより、薄型であっても大きな拡大率をもち、画像信号の書き込み、読み出しされる空間光変調素子について、外光下での書き込み構造、カラー化のための構造とし、且つ空間光変調素子を表示スクリーンとするディスプレー装置を提供する。
【０００４】
【背景技術】
従来、フィルムビューワー等のディスプレー装置は、一般にＣＣＤカメラを利用していったんネガ像を電気信号に直した後にＣＲＴ、又は液晶ディスプレーに表示するようなものは存在した。またポジフィルムであれば光学的に投影して専用スクリーンに映す様なディスプレー装置は存在した。また、電子画像ディスプレーはＣＲＴや液晶ディスプレー等の動画（テレビレートで静止画像を次々切り替えて表示するもの）中心にさまざまなものが有った。
【０００５】
一方、ディスプレー装置に用いることができる空間光変調器（Ｓｐａｔｉａｌ  Ｌｉｇｈｔ  Ｍｏｄｕｌａｔｏｒ；ＳＬＭ）は、２次元信号を入力して、記憶、読み出し、消去できるデバイスとして、光画像信号を入力とする光アドレス方式と時系列電気信号を入力する電気アドレス方式とがある。前者の光アドレス方式として液晶空間光変調器があり、光信号を変調する液晶層と書き込み光エネルギーを液晶に伝達する層とからなる。例えば、液晶プロジェクターとして使用する場合、光画像を小型のＣＲＴに映写し、該ＣＲＴの全面に光伝達層と液晶層とを順次具備する液晶空間光変調器を設け、該ＣＲＴの画像を光伝導体、例えばＣｄＳの面に照射して、光が当たった部分は光伝導体のインピーダンスが低下し、光が照射されていない部分に比べて高い電圧が印加され、入力画像の強度分布に従った電圧が液晶に加わり、液晶のハイブリッド電界効果によって液晶の透過量が変化し、この透過量をスクリーンに拡大・投射すれば、該スクリーンにＣＲＴ上の画像が写り出される。このような液晶空間光変調器の光伝達層として、ＣｄＳ，ＺｎＳｅ，ａ−Ｓｉ等の光導電材料、ＢＳＯ，ＢＧＯ，ＴＢＯ等のフォトリフラティブ結晶、ＩＩＩ−Ｖ族、或いはＩＩ−ＶＩ族の化合物半導体等があり、高い検出感度と高解像度と高速応答性が求められ、液晶層の変換機能層として、ツイステッドネマチック液晶、ＬｉＮｂＯ３，ＢＳＯ等の電気光学結晶、有機非光学結晶等が使用され、高速応答速度と高コントラスト性が求められ、高性能な空間光変調器が開発されている。
【０００６】
【発明が解決しようとする課題】
しかしながら、前記ＣＣＤカメラを利用したディスプレー装置は、撮像装置であるＣＣＤやディスプレーの画素の密度が荒く、例えば写っている人物の顔が判別できなかったりして、銀塩写真を表示するには適していなかった。
【０００７】
また、ポジフィルムを使ったディスプレー装置に関しては、ポジフィルム自体が撮影に関して言えばラティチュウド（露出寛容度）が狭く、撮影の時の条件などにいろいろ気を使ったりして、一般ユーザーには受け入れがたく、また現像工程に手間がかかり、最後に気に入った駒をプリントする時にも、やはり余分な手間がかかるというように、ポジフィルムに比べるとコスト、手間の点で一般ユーザーに受け入れられないものであった。
【０００８】
さらに、ネガフィルムを使用した場合のもう１つの考慮せねばならない点は、光量の問題である。現像されたネガフィルム自体の透過光量は平均的なシーンで１０％に満たないものであり、この像を拡大して投影するようなことは必要光量が大きすぎて、相当大掛かりな装置を必要とするため、本発明の目的である小型で手軽なビュウワーを作成することに相当な困難さを伴うものであった。
【０００９】
又、一方上述の様なディスプレー装置は、いずれも動画を主体に構成されているため、静止画を見るためには極端に画素数（解像度）が足りず、例えば銀塩プリントに変わるような品質を持ったような電子ディスプレー装置はなかなか存在しなかった。また、上記の静止画電子ディスプレー装置に近いものとしてハイビジョン用のディスプレー装置があるが、これも画素数そのものは通常のテレビ用に比べると多少改善されているが、駆動方式がやはりテレビレート、あるいはその倍の６０Ｈｚ程度のレートで駆動されているため、少し明るめの静止画を表示すると、人間の目にフリッカーが感じられ、あまり見やすいものとは言い難かった。
【００１５】
【課題を解決するための手段】
本発明によるディスプレー装置は、上記の問題点を解決するためになされたもので、画像を書き込み、それを変換して読み出せるメモリー機能を有する空間光変調素子と、前記空間光変調素子への書き込み状態と読み出し状態とをスイッチング可能なスイッチ手段と、原画を照明する閃光装置と、前記原画の画像を投影する光学手段と、前記空間光変調素子を照明する照明手段とを備え、前記空間光変調素子のリセットを前記照明手段を用いて行うように構成したことを特徴とする。
【００２０】
【発明の実施の形態】
［実施形態］
［１］ディスプレー装置の構成
図１乃至図４は、本発明に適した実施形態によるフィルムビューワーを説明している図で、図１は本実施形態に使った商品のイメージ図であり、ディスプレー装置のフィルムビューワー２と、ＡＰＳシステム用フィルムの現像済みのもの（以下、「Ｄカート」と呼ぶ）１とを示し、Ｄカート１をこの商品のフィルムビューワー２に装填することによって、次々に撮影画面がネガポジ反転されて、高精彩な像として次々に表示される。このフィルムビューワー２は卓上などにおいて自分で撮影した写真を見るための電子アルバムのような装置である。
【００２１】
図２はディスプレイ装置のフォトスタンド２の中身の構造を示した構造図であり、図３はさらに図１の装置に適したように、中の光学系を工夫した構造図である。
【００２２】
図２及び図３の構造図において、３はＤカート１から引き出された撮影者が撮影した画像が写っている現像済みのネガフィルムで、不図示の公知のフィルム巻き上げ機構によって１駒ずつ、図２に示す位置に送り出されるように構成されている。４は乳白色をした拡散板でストロボ装置５から発光された光を均一に拡散しネガフィルム３を照明するように構成されている。５はカメラなどに使用されているようなストロボ装置で、Ｘｅ管やメタルハライドランプ、反射笠、発光回路等から構成されており、後述するシステムＩＣからのトリガー信号により発光する。６はオレンジベース除去フィルターで、オレンジの補色である青色をした光学フィルターでネガフィルムの像からオレンジベースの色を除去する役目を果たしている。
【００２３】
また、７は投影レンズで、ディストーション（歪み）の少ないガウスタイプの光学系で構成されていて、本実施形態では約４倍の拡大率で、後述のＳＬＭ１０のフォトコンダクタ層（光伝導層、以下「フォトコン層」と称する）にネガフィルム像を投影している。さらに、８，９は反射ミラーで、投影レンズ７の投影像を反射して同じくＳＬＭ１０のフォトコン層に投影している。
【００２４】
また、１０は空間光変調装置ＳＬＭで、図４に示す原理図で詳細に説明する。図４において、１０ａは純色Ｒ，Ｇ，Ｂあるいは補色Ｙ，Ｃ，Ｍ，Ｋのカラーフィルターで、ＩＴＯ１０ｃと密着していてもよく、例えばビデオカメラ等に使われている撮像素子ＣＣＤに使われている目の細かいフィルターが、銀塩画像を劣化させることなく観察できるので本装置には望ましい。また、１０ｂ及び１０ｈは後述の液晶層１０ｅを挟んだ偏光板で、図４の構成では、偏光板１０ｂは偏光方向が紙面に対して裏表方向で、偏光板１０ｈは紙面に対して左右方向でいわゆるクロスニコル構成となっている。また、１０ｃ及び１０ｆは通常酸化インジウム等で構成される透明導電膜のＩＴＯで、ＡＣ電源１１及びそれを駆動する回路がＳＷ１２によって、それぞれの透明導電膜のＩＴＯ１０ｃ，１０ｆ間に、異なる極性の電位が発生するように構成されている。また、１０ｄはフォトコン層（光伝導層）で、アモルファス膜あるいはＯＰＣ（有機半導体膜：Ｏｒｇａｎｉｃ  Ｐｈｏｔｏ  Ｃｏｎｄｕｃｔｏｒ）などによるフォトダイオード層が形成されており、片面は前述のＩＴＯ１０ｃに密着しており、もう片面はこれから説明するＦＬＣ１０ｅに密着している。
【００２５】
さらに、１０ｅは液晶層のＦＬＣであり、前述のごとく片面をフォトコン層１０ｄに密着させており、もう片面はＦＬＣの液晶分子の配向を規定する配向膜１０ｉに密着させて構成されている。配向膜１０ｉによる配向方向は、ＯＰＣに光が到達した領域が遮光状態に、ＯＰＣに光が到達しない領域が透過状態になるように設定される。ＦＬＣとは「Ｆｅｌｌｏ  Ｅｌｅｃｔｒｉｃ  Ｌｉｑｕｉｄ  Ｃｒｙｓｔａｌ」の略称で、応答速度が速い特性を有し、今回の実施形態の説明では数ある液晶の中で、この様なタイプのものを使った例で説明する。
【００２６】
また、１０ｇはガラスで、カラーフィルター１０ａの上部にあるガラス１０ｊと一緒に液晶層１０ｅを封止していると同時に、その他の各層を保護する役目をはたしている。また、１０ｋは前述した投影光学系の投影レンズ７により投影されたネガフィルム３の画素の虚像を説明の為、ＳＬＭ１０に近接して描いたネガフィルム像である。
【００２７】
図２及び図３に戻って、１３はフラットディスプレー等によく使われる直管型の照明装置である。また、図２に示しているが、１４はこれらフォトスタンド２を支持している台座で、支持部１４ａ及び縦位置撮影の像を鑑賞する時にフォトスタンド２を９０度回転させるための回動軸部１４ｂを有している。
【００２８】
［２］ディスプレー装置の動作
以上のような構成で、図５のフローチャートを使ってその動作を説明する。ユーザーがまずフォトスタンド２を使って、Ｄカート１のカートリッジの中の映像を鑑賞するべく、Ｄカート１をフォトスタンド２に装填すると、フォトスタンド２は公知の制御回路の中に組み込まれているマイコンの指定動作により、ステップ＃１でＤカート１の装填を検出し、＃２でＤカート１のカートリッジ内のフィルムを送り出すスラスト動作を行い、フォトスタンド２のアパーチャー部にＤカート１のカートリッジの１駒目を位置だしして停止する。
【００２９】
この状態で、＃３の待機モードに入り、不図示の操作盤の各スイッチからの信号を受けつけ待ちの状態となる。次に、＃４で例えばリモコンなど空の信号である駒まで画面を進めるような信号が入ると、＃５で指定された駒まで公知のフィルム巻き上げ機構によってフィルム給送を行い、指定された駒をフォトスタンド２のアパーチャー部（図２ではネガフィルム３に相当するところ）に持ってきて、この駒を表示するかどうかのコマンド待ち状態として＃６で待機する。
【００３０】
この状態より、＃７でユーザーからのディスプレーコマンドを受け付けると、まず前回表示していた駒の画像をリセットするべく、＃８でＩＴＯ１０ｃ，１０ｆ間に交流電源１１を印加すべくＳＷ１２を通電状態にした後に、＃９でバックライトの照明装置１３を点灯して、＃１０で交流電源１１よりＩＴＯ１０ｃ，１０ｆ間に逆側の電界をかける。
【００３１】
この様な動作により、ＦＬＣ１０ｅは＃１１で図４に示すＦＬＣ１０ｅの中に一部示されている、横向き状態にすべてのセルが反転し、リセット状態になる。ＦＬＣ１０ｅ内のすべてのセルが上記状態になるための十分な時間上記リセット動作を行った後に、＃１２でＳＷ１２をＯＦＦして、＃１３でバックライトの照明装置１３を消灯する。此処からは新しい画像の書き込み動作のフローになる。
【００３２】
現在のフォトスタンド２の状態は、例えばオフィスの机の上や家庭の壁などの棚の上に置かれていて、環境の明るさはおおよそ数百ルクスの明るさの中に置かれている。これらの外光は一枚の偏光板１０ｈ及び液晶層１０ｅを通ることによって約半減し、フォトコン層１０ｄに入射しているわけであるが、現在の状態ではＳＷ１２が開いているため、ＩＴＯ１０ｃ、ＩＴＯ１０ｆの間には電界がかからず、従ってＦＬＣ１０ｅは反応をしない。
【００３３】
ここで、ＳＷ１２を閉じて、ストロボ光５によってネガフィルム３の映像を投影レンズや反射ミラーを介して投影し、ＳＬＭ１０に像を書き込むのであるが、前記したように外光が入射している状態で行う動作であるので、外光に対して投影光が規定のＳ／Ｎを持つような条件で速やかに行われなければならない。幸い＃１６で行われるストロボ５の発光は時間にして約５００μｓｅｃ程度ですべての発光を終えるので、＃１５で行われるＳＷ１２のＯＮも、ほぼそれと同じくらいの時間、同じタイミングで行われ、＃１７でＳＷ１２を開いて速やかに電界がカットされ、その後ＳＬＭ１０に記録された画像は、＃１８でバックライトの照明装置１３の点灯により、ユーザーに透過照明式にＳＬＭ１０の表示画像を視認される。
【００３４】
ちなみに代表的な例でＳＬＭ１０に入射する光量を計算すると、本装置に積まれるような小型のストロボ装置の輝度は２０億ｃｄ／ｍ２以上であり、代表的なレンズその他の構成でＳＬＭ１０のフォトコン層１０ｄには５０００ｌｕｘ程度の光量が入射される。
【００３５】
この後、フォトスタンド２は、＃３の次のコマンドを受け付ける待機状態となるが、ＦＬＣ１０ｅのメモリー特性により、ユーザーは上記の動作で設定されたＳＬＭ１０の画像を見つづけることができる。
【００３６】
上記図５に示すフローチャートで、＃１６で、ＳＬＭ１０はＩＴＯ１０ｃ，１０ｆ間に電界が印加され、ネガフィルム３の映像が強光量でカラーフィルター１０ａを介して投影され、フォトコン層１０ｄのインピーダンスがその光量に応じて変化し、そのインピーダンスの値に応じてＦＬＣ１０ｅの印加電界が変化して、ＦＬＣ１０ｅのねじれ角の度合いがその印加電界に応じて変化するので、即ち空間光変調された状態となり、この後ＳＷ１２がＯＦＦとなっても、ＦＬＣ１０ｅの記憶特性によりそのねじれ度合いは変化せず、バックライト１３の点灯で、ネガフィルム３と同じ映像画像を表示し続けることができる。
【００３７】
［参考例］
［１］本参考例の構成
図６から図１０までは、参考例の各態様を示し、図６は本参考例に適したディスプレー機器２１本体を一部は透過的で立体的に記載した構成図を示している。該ディスプレー機器は平面型で、空間光変調装置３０の下部にプリズム４１が空間光変調装置３０の全面をメカニカル走査手段３７により移動し、その移動に従ってポリゴンミラー３４の回転で映像信号により変調されたレーザー３２の光束をプリズム４１に走査して、順次空間光変調装置３０に書き込むようになっている。
【００３８】
図６において、ディスプレー機器２１の中に、まずスキャナーユニット３１には、すでに撮影画面が現像されたフィルムカートリッジ２２が、不図示のカートリッジ室に装填可能に構成されており、カートリッジ２２からは現像済みフィルム２３が、やはり公知のフィルム給送機構によって送り出されユーザーの指定する駒２３ａが、後述のＣＣＤ２６の光路中に送り出されている。
【００３９】
また、２４は照明光源で、通常３波長管（蛍光管の中でＲ，Ｇ，Ｂ，の波長のバランスがしっかりとれている物）２４ａと、反射笠２４ｂ及び図６では見えない位置にある拡散板とによって構成され、ほぼ先ほどのフィルム２３に密着した位置に配置され、フィルム給送機構によって順次フィルム２３が給送される。
【００４０】
また、２５はラインＣＣＤ２６に前述のフィルム駒２３ａの画像を縮小投影する投影レンズで、公知のオートフォーカスや露出調整機構である絞り装置などを内蔵している。
【００４１】
また、２６はラインＣＣＤで、Ｒ，Ｇ，Ｂ，の３ラインで構成されており、それぞれのラインの前面には各色のカラーフィルターが構成されている。各色の輝度情報はそれぞれのラインからシフトレジスターによってＡ／Ｄコンバーター２７に出力され、ディジタル情報に変換された後、ミキシング回路２８に入りレーザー駆動回路２９に入力される。なお、レーザー駆動回路２９の出力は後述する半導体レーザー３２に接続され半導体レーザー３２を駆動する。
【００４２】
また、５２はパソコン５３を介して入力されるＣＤーＲＯＭ等の画像データを外部から受け付ける外部入力端子で、公知のディジタル画像データ（例えばＪＰＥＧ．やＭＰＥＧ．等の画像データ）を、本装置内に取り込んで外部データ加工回路５４にて、本装置に準じて後述の半導体レーザー３２を駆動してやはり後述のＳＬＭ３０に適正な画像データとして書き込み、鑑賞が出来るようなデータ変換を行い、このデータをミキシング回路２８に出力するように構成されている。
【００４３】
また、３０はＦＬＣを使ったＳＬＭで、図７に詳細図が示されているが、メモリー性を持ったセグメントパターンの無い液晶板で、先ほどのスキャナーユニット３１で読んだフィルムの画像をいくつかのフィルターや演算部を通した形で、半導体レーザー３２によって高画質な絵として書き込まれ、それを後述するフローチャートにしたがってバックライト照明することによって高画質な静止画がユーザーに提供される。ここで、図７（ａ）は、ＳＬＭ３０への書き込み時の半導体レーザー３２からの照射時の状態図であり、図７（ｂ）は、書き込み終了後バックライト４３を照射している状態図を示している。
【００４４】
ＳＬＭ３０には、図６中、表面全面に偏光板３０ｈがあり、その下部にガラス３０ｇも全面に張られている。またＩＴＯ３０ｃがＳＬＭ３０全面にストライプ状に形成されており、それぞれのパターン１つ１つに薄膜で出来たトランジスターがスイッチとして具備していてそれぞれのパターン部の電界を独立してコントロール可能に構成されている。
【００４５】
ＳＬＭ３０を図７に示す原理図で詳細を説明すると、３０ａは純色あるいは補色のカラーフィルターで、例えばビデオカメラ等に使われている撮像素子ＣＣＤに使われている目の細かいものが、銀塩フィルム画像を劣化させることなく観察できるので本装置には望ましい。３０ｂ及び３０ｈは後述の液晶層を挟んだ偏光板で、図７の構成では３０ｂ、３０ｈともに偏光方向が紙面に対して裏表方向でいわゆる平行ニコル構成となっている。３０ｃ及び３０ｆは通常酸化インジウム等で構成されるＩＴＯ（透明導電膜）で、ＡＣ電源５０及びそれを駆動する回路がＳＷ５５によってそれぞれの透明導電膜に異なる極性の電位が発生するように構成されている。
【００４６】
なお、ＩＴＯ３０ｃの透明電極は図６に示すように、図中上下方向（後述するポリゴンミラーのスキャン方向）に非常に細かいピッチのストライプ上の独立した電極パターンを構成しており、それぞれのパターンに独立に給電をコントロール可能なように公知のトランジスタスイッチが構成されている。
【００４７】
また、３０ｄはフォトコン層（光伝導体層）で、アモルファス膜あるいはＯＰＣ（有機半導体膜）などによるフォトダイオード層が形成されており、片面は前述のＩＴＯ３０ｃに密着しており、もう片面はこれから説明するＦＬＣ３０ｅに密着している。また、３０ｅは液晶層で、多種の液晶装置で構成可能で前述のごとく片面をフォトコン層３０ｄに密着させており、もう片面は配向膜３０ｉに密着させて構成されている。また、３０ｇはガラスで、カラーフィルター３０ａの上部にあるガラス３０ｊと一緒に液晶層３０ｅを封止していると同時にその他の各層を保護する役目をはたしている。
【００４８】
尚、ガラス３０ｇ及び偏光板３０ｈの表面には、図６に示す後述する遮光板３８ｂの遮光領域外から強い外光が媒体の中を全反射して回り込んできて、半導体レーザー３２による画像の書き込み動作のＳ／Ｎを劣化させないように、表面に反射防止膜が施されている。
【００４９】
また、３２は近赤外の半導体レーザーで、すでにＳＬＭ３０にかかれている古い画像を消去するための消去用レーザー３２ａと新しくフィルムスキャナーユニット３１から送られてくる画像データを書き込む書き込み用レーザー３２ｂとを有する。
【００５０】
尚、ＳＬＭ３０に以前にかかれていた画像の消去動作は、新規画像を書き込む動作の直前に行われるように構成することが、商品の構成上好ましく俗に言う「ワイプ切り替え」のように、ユーザーに見せることが出来る。この消去動作は具体的には新規書き込み画像の数本から数十本前のＩＴＯラインの電界を、画像の書き込み時とは逆にかけ、消去用レーザー３２ａの赤外光をＤＣ的に照射して液晶の一律な書き込み前状態（図７でいうとＦＬＣ３０ｅの図中横長状になっている状態）を作り出す。
【００５１】
従って、本参考例のように消去動作と、書き込み動作を異なる半導体レーザーで同時に行うためには、パターン化されたＩＴＯ３０ｃ，３０ｆにかける電圧を、非パターン側（コモン側）を０Ｖとすると、例えば消去側は−３０Ｖ、書き込み側は＋３０Ｖというようにコモン電位に対してプラス、マイナスの両電位をかける必要がある。
【００５２】
この時に、＋３０Ｖと−３０Ｖの間にも電界が発生するが（ＦＬＣに対して平行方向の電界）、これが書き込みや消去に悪影響を及ぼさないように、前述のごとく直ぐ隣接したパターン間で書き込み、消去を行わず所定量離れたパターンで書き込み、消去を行うことによって、画像のＳ／Ｎを向上させることが出来る。
【００５３】
なお、実際に消去している動作や書き込んでいる動作は、後述の遮光板３８ｂによって、覆われた内部の外光の当たらない部分で行われているのでユーザーには遮光板の通り過ぎる前後で画像が切り替わってみえるようになる。
【００５４】
また、３３は半導体レーザー（以下単にレーザーと記す。）３２の像をポリゴンミラー３４のポリゴン面にほぼ結像するための第一の凸レンズユニットでポリゴンミラー３４は、軸３４ａを不図示の支持機構に回転可能に支持され、８面体の鏡面をした外形を有している。
【００５５】
また、３５は前述のＳＬＭ３０にポリゴンミラー３４からの像を投影する投影レンズで図８の側面図にかかれている全反射プリズム４１、反射ミラー４２を通過する光路にしたがって、半導体レーザー３２の像をＳＬＭ３０のフォトコン層３０ｄに結像させる。
【００５６】
また、３６はステッピングモーターで出力軸からの出力をヘリコイド・ネジシャフト３７に伝達し、回動することにより、それと噛み合っているメスヘリコイド３８と本体２１の不図示の溝を介して、一体の遮光板３８ｂを図中左右方向に移動させる。
【００５７】
遮光板３８ｂは、半導体レーザー３２による画像のリセット時や、新規画像の書き込み時に、外光がＳＬＭ３０のカラーフィルター部３０ａや液晶部３０ｅを通して、電界をかけたフォトコン層１０ｄに回り込むことを防止する役目を果たしている。書き込み画像のＳ／Ｎを向上するためである。
【００５８】
該ヘリコイドネジシャフト３７には同軸に構成された連結ギア３７ａが後述する第２ヘリコイドシャフト３９のギア部３９ａと噛み合っていてステッピングモーター３６の動力を伝達するよう構成されている。３９は第２ヘリコイドシャフトで、不図示のガイド部材により、回転可能に本体に支持されていて、ヘリコイド部には第２メスヘリコイド４０がネジ結合しており、前述のステッピングモーター３６が回転するとギア部３７ａ，３９ａを介して回動が第２ヘリコイドシャフト３９に伝わって、第２メスヘリコイド４０を図中左右に移動させるように構成されている。
【００５９】
なお、本参考例ではヘリコイドシャフト３７と第２ヘリコイドシャフト３９のそれぞれのネジのリードは２：１になっており、メスヘリコイド３８に対して第２メスヘリコイド４０はちょうど半分のストロークを移動するようになっていて、前述した半導体レーザー３２のＳＬＭ３０上に結像するためのレンズ３５から、ＳＬＭ３０までの光路長を、ＳＬＭ３０のどの場所に書き込む場合であっても、略一定とするように構成されている。
【００６０】
前述した第２メスヘリコイド４０には、後述する三角プリズム４１を支持するプリズム支持部４０ａがある。プリズム４１は図８に示されるように、半導体レーザー３２から出力されたレーザー光がポリゴンミラー３４、及び結像レンズ３５を通って入射し、２回反射して方向を１８０ｄｅｇ．変えて反射ミラー４２に入射し、さらに方向を９０ｄｅｇ．変更してＳＬＭ３０のフォトコン層３０ｄに結像する。
【００６１】
また、５１はＳＬＭ１０上のストライプ状ＩＴＯ３０ｃに関する位置情報を出力する検出パターンで、ここでは検出パターン５１のパルスパターンを公知のフォトセンサーで検出して、上記半導体レーザー３２ａ及び３２ｂのそれぞれの入射位置を検出していて、これらの構成により正確な半導体レーザー３２ａ、３２ｂの照射位置を検出して、前述のＩＴＯパターン３０ｃのそれぞれ一本一本のスイッチングタイミングをコントロールしてそれぞれ消去側、書き込み側で反転した電界をかけることが出来るようになっている。
【００６２】
なお反射ミラー４２は前述のメスヘリコイド３８の不図示の支持部により支持されていてメスヘリコイド３８と一体に移動する。
【００６３】
従って、三角プリズム４１及び反射ミラー４２、遮光板３８ｂが、それぞれステッピングモーター３６の回動力によって、それぞれ４１’，４２’の位置まで移動しても、結像レンズ３５からＳＬＭ３０のフォトコン層３０ｄまでの距離は変わらないように構成されていることになっている。
【００６４】
また、４３は公知のバックライトで３波長蛍光管等からなる光源と公知の反射導光板等から構成されていて、後述するフローチャートに記載されているようにＳＬＭ３０に画像を書き込んだ後、電界のスイッチを切って書き込み画像を鑑賞する時に点灯し、良好なバックライト照明の画像をユーザーに提供する。
【００６５】
［２］本参考例の動作
以上のような構成で、本機器２１の動作を図１０及び図１１のフローチャートを使って説明する。まず、＃１０１では通常のディスプレー状態であり、言い換えればユーザーからのコマンド待ちの状態になっているところへユーザーからの公知のリモコン手段からのコマンドを受け付ける。
【００６６】
次に、＃１０２で本機器の状態をチェックして、＃１０３で特に画像書き込みの遮光板３８ｂ、ミラー４２及びプリズム４１あるいはメスヘリコイド３８，４０の位置（状態）をチェックして、この際書き込み動作にしろ、ディスプレー動作にしろ、このユニットの位置がキーになるが、まず異常動作の検出をする。
【００６７】
ここで、遮光板３８ｂ位置が異常な場所にとまっている場合は、＃１０４以下のリカバリー動作を行う。まず、＃１０４でステッピングモーター（ＳＴＭ）３６をＣＷ方向に駆動して、＃１０５とセットで図６中上記ミラー４２や遮光板３８ｂを一番左端のスタンバイ位置に持って来て、その状態で＃１０８に移行する。
【００６８】
一方、＃１０３で遮光板３８ｂの位置が、図６中一番左端（第１のスタンバイ位置）か、あるいは右端（第２のスタンバイ位置）のスタンバイ位置にいるかを、＃１０６で判別され、その場所によって以下の２通りの制御が行われる。
【００６９】
第１のスタンバイ位置にいる場合は、＃１０８で今度はフィルムスキャナーの方のフィルム２３の画面２３ａがリモコンの指定画面か否かの判別を行い、そうではない場合には、＃１０９で公知のフィルム給送機構によって、ユーザーの指定画面まで給送を行い、判別フローである＃１０８から抜け出す。その後、＃１１４で本システムの一時的メモリーＲＡＭに、Ｐ＝０の判定フラッグを立てて、＃１１５にてディスプレー用のバックライト４３を消灯する。
【００７０】
又、＃１０６で遮光板３８ｂ等が第２のスタンバイ位置にあると判別された時は、＃１１０にてやはりフィルムスキャナーの方のフィルム２３の画面２３ａがユーザーの希望している画面か否かの判別が行われ、もしそうでない場合は＃１１１にて指定画面までのフィルム給走が前述のごとく行われ、さらに＃１１２でその画面の最終位置まで続けて給送が行われる。すなわち、前のＳＬＭ３０への画像書き込み動作で遮光板３８ｂ等が、図６中一番右端に行っている時は、次の書き込みは逆向き（右端から左端に向かって）に行うことによって、必ず左端から書き込みを行うようなシステムに対して、よりスピーディに一連の動作が行われるように工夫されている。
【００７１】
また、＃１１２で前述の動作が行われた後、逆スキャンの情報として＃１１３で、ＲＡＭにＰ＝１なる判定フラッグを立てて＃１１５のバックライト４３を消灯のステップに移行する。
【００７２】
当然のことながら、＃１１５のステップ以前においては前回ＳＬＭ３０に書き込まれた画像がユーザーには見えていて、以下の新しい画像のＳＬＭ３０への書き込み動作のうち、最小限の動作のみディスプレーを消すというシーケンスになっていて、ユーザーにとって快適な操作性を演出している。
【００７３】
前述のごとく、＃１１５でバックライト４３の消灯が行われてディスプレーが消失した（とはいっても外光で暗く見えているのではあるが）後に、＃１１６でポリゴンミラー３４が回動を始め、先ほどのＳＬＭ３０への書き込み動作の方向を記憶したフラッグを、＃１１７で読み出して、書き込みが順方向である時は、＃１１８でフィルムを正転方向に給送しながら、これに同期して＃１１９でステッピングモーター（ＳＴＭ）３６をＣＣＷ方向に駆動して遮光板３８ｂなどを図６中右方向に移動させる。
【００７４】
この移動は前述した検出パターン５１を不図示のフットセンサーで読むことにより、正確に半導体レーザー３２で書き込む位置が検出され、＃１２０において消去する導電パターン３０ｃのみに逆側の電界がかかり、＃１２１にて＃１２０で消去された後の導電パターン部の画素部に（正確にはフォトコン層に）、そこの導電パターン部に正電界がかけられると同時に、書き込み信号に応じた（フィルムスキャナー部からの画素の読み取信号を、ネガポジ反転した信号）半導体レーザー３２ｂの書き込み信号が照射され、新しい画像の書き込みが行われる。
【００７５】
この様な動作が、＃１２２で継続的に行われ、＃１２３にてフィルムの１駒分が終了したかどうかの判別が行われ、未だ終了していないと判別されると、＃１１７に戻ってもう一度今までの動作が繰り返される。また、＃１２３で終了が判別されるとさらに＃１２８に進む。
【００７６】
なお、＃１１７でＰ＝１と判別された、すなわち逆方向のスキャンが必要な場合は、＃１２４にてフィルムを給送モーターを逆転駆動し、これに同期してステッピングモーター３６をＣＷ方向に駆動し、その位置信号を検出パターン５１により正確に検出して、今度は半導体レーザー３２ｂを先行する消去レーザーとして使用し（すなわち半導体レーザー３２ｂのあたっているパターン部に、逆電界をかける）３２ａを書き込みレーザーとして使用する（ステップ＃１２６、＃１２７）。この動作を前述したのと同じように、フィルムの１駒分の全画像を書き込むまで続けられ、＃１２３で終了が判別されると＃１２８に進む。
【００７７】
その後、＃１２８から＃１３１まででステッピングモーター３６、ポリゴンミラー３４、フィルム２３を給送している公知の給送モーターを停止して、＃１３１でバックライト４３を点灯して、ユーザーに今書き込んだ画像を見せることが出来る。＃１３２で動作のスタートのステップであるリモコンの受信スタンバイ状態となって、一連の動作を終了する。
【００７８】
本参考例ではフィルムスキャナー用ＣＣＤ２６からのＲ，Ｇ，Ｂ信号をＡ／Ｄ変換して、ＳＬＭ３０に書き込んで、ユーザーにディスプレーしたが、パソコンから送られてくる３色の信号をミキシング回路２８に挿入し、表示することも当然のことながら容易である。
【００７９】
又、ＣＤＲＯＭやビデオ信号の出力を同じようにディスプレーすることも充分可能であり、容易である。
【００８０】
上記実施形態、参考例中、図４と図７により２種類のＳＬＭについて説明したが、基本的な機能には差異が無い。また、両者ともに高速応答可能なＦＬＣを用いることで、フィルムの駒の切換をスピードアップできる。
【００８１】
【発明の効果】
以上のような構成により、本発明によれば、簡単な構成により非常に高画質な画像を鑑賞する装置が提供でき、安価で小型の商品を提供できた。
【００８２】
特に、本発明は、特徴はネガの照明装置に小型カメラなどに使用されているストロボ装置を使用したことと、これに同期させてＳＬＭのフォトコン層にわずかな時間だけ電位を供給したことにより、非常に短い時間にＳＬＭへの画像書き込みが可能となり、外光除去の為のＳＬＭを覆う遮光カバーのようなものが必要無く、小型化できた点、カラーのＳＬＭを透過光読み出し式にして上記書き込み時の電位を切った後のメモリー画像を書き込み光とは別の蛍光灯のような照明装置で照明したため、非常に安価な作りのディバイスと構造で、非常に高画質のディスプレーが構成できた。
【００８３】
また、本発明によれば、静止画として市民権を得ている銀塩プリントのように高画質で、又壁掛け用としても十分使用できるほどの薄型で、且つ画像ソースとして銀塩フィルムのみでなくパソコンを介して入ってくるＣＤーＲＯＭなどの画像データーやビデオ信号でさえも、ディスプレー可能となり、非常に使いやすいディスプレー装置を提供できた。
【図面の簡単な説明】
【図１】本発明に適した画像入力媒体であるＡＰＳシステムのディスプレーカートリッジと本装置の代表的な外観を示した概念図である。
【図２】本発明によるディスプレー装置の断面図である。
【図３】本発明によるディスプレー装置の断面図である。
【図４】本発明によるディスプレー装置に用いるＳＬＭの断面図である。
【図５】本発明によるディスプレー装置の動作フローチャートである。
【図６】本発明によるディスプレー装置の透過概念図である。
【図７】本発明によるディスプレー装置に用いるＳＬＭの断面図である。
【図８】本発明によるディスプレー装置の断面図である。
【図９】本発明によるディスプレー装置の透過概念図の一部拡大図である。
【図１０】本発明によるディスプレー装置の動作フローチャートである。
【図１１】本発明によるディスプレー装置の動作フローチャートである。
【符号の説明】
１，２２  フィルムカートリッジ
２  フォトスタンド
３，２３  ネガフィルム
４  拡散板
５  ストロボ装置
６  光学フィルター
７，２５  投影レンズ
８  反射ミラー
９  反射ミラー
１０，３０  ＳＬＭ
１０ｅ，３０ｅ  ＦＬＣ
１３  照明装置
１４  台座
２６  ＣＣＤラインセンサ
２７  Ａ／Ｄコンバータ
２８  ミキシング回路
２９  レーザドライバ
３２  半導体レーザー
３４  ポリゴンミラー
４１  三角形プリズム
４３  バックライト
【図１】
0003581508.tif 000002
【図２】
0003581508.tif 000003
【図３】
0003581508.tif 000004
【図４】
0003581508.tif 000005
【図５】
0003581508.tif 000006
【図６】
0003581508.tif 000007
【図７】
0003581508.tif 000008
【図８】
0003581508.tif 000009
【図９】
0003581508.tif 000010
【図１０】
0003581508.tif 000011
【図１１】
0003581508.tif 000012